【手続補正書】
【提出日】平成16年12月27日(2004.12.27)
【手続補正１】
【補正対象書類名】明細書
【補正対象項目名】００１７
【補正方法】変更
【補正の内容】
【００１７】  ヒダ付き扁平袋の製造方法を説明する。  包材繰り出しロール１３が包材の原反ロールＲから包材Ｆを繰り出し、包材引き込みロール２３，２６が袋高さ寸法とヒダからボトムヒートシールまでの底面部を形成するための寸法（好ましくはサイドガセットの折り込み寸法と略同寸法）とボトムヒートシールに必要な寸法との合計寸法に等しい長さになるように間欠送りを行なう。ヒダ付け装置１６が、包材Ｆが間欠停止する度に包材Ｆの内面同士が合掌状にヒートシールしてヒダ１を形成する。ヒダ１が形成されるピッチは、袋高さ寸法とヒダからボトムヒートシールまでの底面部を形成するための寸法とボトムヒートシールに必要な寸法との合計寸法に等しくなる。次いで、ヒダ倒しプレート１７が、通過して行くヒダ１を上流側に倒す。  次いで、ヒダ１が付いた包材Ｆをフォーマー１８により扁平筒に折り上げ、バー形背貼りヒートシーラー２１により接続テープＴを介して包材Ｆの端縁同士をヒートシール接続する。図２(a)におけるＡ−ＡからＢ−Ｂの区間では図２(b)に示すようにフォーマー１８が横長な厚板断面形状であり包材Ｆは図１(b)に示す扁平筒状になる。図２(a)におけるＣ−ＣからＤ−Ｄの区間ではフォーマー１８が「Ｈ」を横にした断面形状で図１(c)に示す角筒状になる。図２(a)におけるＥ−Ｅではフォーマー１８が「Ｈ」を横にした断面形状で上下面間の寸法が小さくなり両側にフリー回転自在なサイドガセット折り込みロール２２a,２２bが入り込んで図１(d)に示すようにサイドガセットが入れられる。図２(a)におけるＦ−Ｆでは包材引き込みロール２３により図１(f)に示すようにサイドガセット入りの扁平筒に折り上がる。  続いて、図２(a)におけるＧ−Ｇではリブ付け用ヒートシーラー２４a,２４bにより図１(f),(g)に示すように四枚重ねの両側縁にリブ付けヒートシールを施してなる四つのリブ６a,６b,６c,６dが設けられる。図２(a)におけるＨ−Ｈではボトムヒートシーラー２５により図１(h)に示すようにボトムヒートシール７が施される。  ボトムヒートシール７の位置は、カッター２７の側から数えて二つ目のヒダより上流側へサイドガセットの折り込み寸法と略同寸法を確保してその上流側の位置としてあるので、各ヒダより上流側へ前記サイドガセットの折り込み寸法と略同寸法を確保してその上流側にボトムヒートシールを施される。  図２(a)におけるＩ−Ｉではカッター２７によりボトムヒートシール７の上流側の際をカットされ、図１(h)に示す上端開口タイプのヒダ付き扁平袋Ｐ1が切り離され、以上で製袋が完了する。
【手続補正２】
【補正対象書類名】明細書
【補正対象項目名】００２８
【補正方法】変更
【補正の内容】
【００２８】  ヒダ付き扁平袋を製作するための包材Ｆは例えば以下のような積層フィルムからなる。(1) OPP 20μm／接着剤／LLDPE 20μm ・・・・（外層／内層：シーラント）(2) OPP 20μm／接着剤／一軸延伸または二軸延伸HDPE／接着剤／LLDPE・・・・（外層／中間層／内層：シーラント）(3) OPP 20μm／接着剤／アルミニウム箔／接着剤／LLDPE 20μm・・・・（外層／中間層／内層：シーラント）(4) OPP（シリカ又はアルミナ蒸着層）／接着剤／一軸延伸または二軸延伸HDPE／接着剤／LLDPE 20μm・・・・（外層／中間層／内層：シーラント）(5)PET20μm／接着剤／アルミニウム箔／接着剤／OPP20μm／接着剤／LLDPE 20μm・・・・（外層／中間層／中間層／中間層／内層：シーラント）(6) 紙／接着剤付きLLDPE 50μm・・・・（外層／内層：シーラント）(7) PET 12μm／接着剤／LLDPE 20μm ・・・・（外層／内層：シーラント）(8) AL 19μm／接着剤／LLDPE 70μm・・・・（外層／内層：シーラント）(9) PET・SiOx 12μm／接着剤／LLDPE 100μm ・・・・（外層／内層：シーラント）(10) CPP 5μm・OPP 30μm共押出し／接着剤／CPP 20μm ・・・・（外層／内層；内外面シーラント）  ヒダ１をヒートシールにより形成するために、包材Ｆの構成は、上記の積層フィルムの例示から分かるように内面がシーラントフィルムとなっている。なお、包材Ｆはシーラントフィルム単体より構成されていても良い。
【手続補正３】
【補正対象書類名】明細書
【補正対象項目名】図面の簡単な説明
【補正方法】変更
【補正の内容】
【図面の簡単な説明】  【図１】請求項１に記載の発明にかかるヒダ付き扁平袋製造方法により製造されるヒダ付き扁平袋の袋単体としての製造工程図である。  図１(a)はヒダを形成した包材の斜視図である。図１(b)はヒダ付きの扁平筒とした状態を示す斜視図である。図１(c)は角筒状に開いた状態を示す斜視図である。図１(d)はサイドガセットを入れていく状態を示す断面図である。図１(e)はサイドガセット入りの扁平筒とした状態を示す斜視図である。図１(f)はサイドガセット入りの扁平筒の両側にリブを付けた状態を示す斜視図である。図１(g)は図１(f)におけるｇ−ｇ断面図である。図１(h)は上端開口タイプのヒダ付き扁平袋の斜視図である。図１(i)はヒダ付き扁平袋を立体的に開いた状態を示す斜視図である。図１(j)は被包装品を収容して開口を閉じ合わせた状態を示す斜視図である。  【図２】請求項１に記載の発明にかかるヒダ付き扁平袋の製造方法を示すもので、図２(a)は図１に示すヒダ付き扁平袋を量産できる製袋装置の概略の全体平面図である。図２(b)は図２(a)におけるＡ−Ａ断面図である。図２(c)は図２(a)におけるＣ−Ｃ断面図である。図２(d)は図２(a)におけるＥ−Ｅ断面図である。  【図３】図２に示す製袋装置を四つに分けた最上流側部分の斜視図を示す。  【図４】図３に示す部分の下流側に隣接する部分の斜視図を示す。  【図５】図４に示す部分の下流側に隣接する部分の斜視図を示す。  【図６】図５に示す部分の下流側に隣接する部分の斜視図を示す。  【図７】請求項１、３の発明のヒダ付き扁平袋の製造方法により製造されるヒダ付き扁平袋を示すもので、図７(a)は上端開口タイプのリブ付きサイドガセット入りのヒダ付き扁平袋の斜視図である。図７(b)はヒダ付き扁平袋を立体的に開いた状態を示す斜視図である。図７(c)は図７(b)におけるC−C断面図である。  【図８】請求項１、３の発明のヒダ付き扁平袋の製造方法により製造される上端開口タイプのヒダ付き扁平袋を示すもので、図８(a)はリブなしサイドガセット入りのヒダ付き扁平袋の斜視図である。図８(b)はヒダ付き扁平袋を立体的に開いた状態を示す斜視図である。  【図９】請求項１、３の発明のヒダ付き扁平袋の製造方法により製造されるヒダ付き扁平袋を示すもので、下端開口タイプのリブ付きサイドガセット入りのヒダ付き扁平袋の斜視図である。  【図１０】請求項１、３の発明のヒダ付き扁平袋の製造方法により製造されるヒダ付き扁平袋を示すもので、下端開口タイプのリブなしサイドガセット入りのヒダ付き扁平袋の斜視図である。  【図１１】請求項４の発明の実施の形態にかかるヒダ付き扁平袋の製造方法により製造される上端開口タイプのヒダ付き扁平袋の袋単体としての製造工程図である。  図１１(a)はヒダを形成した包材の斜視図である。図１１(b)に扁平筒とした状態を示す斜視図である。図１１(c)は上端開口タイプのヒダ付き扁平袋の斜視図である。図１１(d) ヒダ付き扁平袋上部を開いた状態を示す斜視図である。図１１(e)は被包装品を収容して開口を閉じ合わせた状態を示す斜視図である。  【図１２】請求項４の発明のヒダ付き扁平袋の製造方法により製造されるヒダ付き扁平袋を示すもので、図１１(c)に示すヒダ付き扁平袋を量産できるヒダ付き扁平袋の製造方法を実施するための製袋装置の概略の��体平面図を示す。  【図１３】請求項５の発明のヒダ付き扁平袋の製造方法により製造される下端開口タイプのヒダ付き扁平袋を示す。図１３(a)は下端開口タイプのリブ付きサイドガセット無しのヒダ付き扁平袋の斜視図である。図１３(b)はヒダ付き扁平袋の下部を開き立体的に開いた状態の斜視図である。図１３(c)はヒダ付き扁平袋に被包装品を収容して開口を閉じてなる包装体の斜視図である。  【図１４】請求項６の発明の実施の形態にかかるヒダ付き扁平袋の製造方法により製造されるヒダ付き扁平袋の袋単体としての製造工程図である。  図１４(a)は上端開口タイプのヒダ付き扁平袋の斜視図を示し、図１４(b)はヒダ付き扁平袋を立体に開いたときの斜視図を示す。図１４(c)は図１４(b)におけるC−C断面図である。図１４(d)はヒダ付き扁平袋を構成する各包材の分解・配置状態を示す斜視図である。図１４(e)はサイドガセット入りの扁平筒を示す斜視図である。  【図１５】請求項６の発明のヒダ付き扁平袋の製造方法により製造されるヒダ付き扁平袋を示すもので、図１４(a)に示すヒダ付き扁平袋を量産できるヒダ付き扁平袋の製造方法を実施するための製袋装置の概略の全体平面図を示す。  【図１６】請求項７の発明のヒダ付き扁平袋の製造方法により製造される下端開口タイプのヒダ付き扁平袋を示す。  【符号の説明】Ｆ・・・包材、１・・・ヒダ、２・・・前面部、３・・・後面部、４・・・右側面部、５・・・左側面部、Ｔ・・・接続テープ、６a，６b，６c，６d・・・リブ、７・・・ボトムヒートシール、８・・・ボトムガセット、９・・・底面部、１０・・・トップガセット、１１・・・上面部、１２・・・トップヒートシール、１３・・・包材繰り出しロール、１４・・・ニップロール、Ｒ・・・原反ロール、１５・・・アキュムレータ、１５a,１５b・・・段差ロール、１６・・・ヒダ付け装置、１６a,１６b・・・スリット形成プレート、１６c,１６d・・・ヒダ付け用ヒートシーラー、１６e,１６f・・・包材押えプレート、１６g・・・ヒダ折りプレート、１７・・・ヒダ倒しプレート、１８，１８a・・・フォーマー、１９a,１９b・・・折り曲げガイド、２０a,２０b・・・フィルム誘導用コロ、２１・・・バー形背貼りヒートシーラー、２２a,２２b・・・サイドガセット折り込みロール、２３・・・包材引き込みロール、２４a,２４b・・・リブ付け用ヒートシーラー、２５・・・ボトムヒートシーラー、２６・・・包材引き込みロール、２７・・・カッター、２８・・・ガイドロール、２９・・・Ｍ板、３０a,３０b,３０c,３０d・・・ガイドロール、３１・・・カッター、３２a、３２b・・・三角板フォーマー、３３・・・合わせロール、Ｒ2、Ｒ3・・・原反ロール、